(57)【要約】【課題】新たに特別な温度センサを設けることなくしかも実際に機器が置かれている地域または環境の温度に応じた振動子の温度特性の補正値に基づいた正確な時刻を計時が可能な電子時計および時計機能を有する携帯用電子機器を提供する。【解決手段】メモリ（ＲＯＭ）内に位置情報に対応する時刻別の平均気温と当該時刻別の平均気温に対応する振動子の温度特性の補正値とを対応付けて複数組記憶しておき、位置情報が取得された際に、この取得された位置情報と計時された時刻情報とに基づいて、対応する時刻別の平均気温に対応する振動子の温度特性の補正値をメモリ３５より読み出し(Ｓ３)、この読み出された補正値に基づいて発振信号の周波数を補正する（Ｓ４）。【選択図】図４
2010256160.tif 000002
【特許請求の範囲】
【請求項１】
振動子を備え所定周波数の発振信号を生成する発振手段、前記発振手段により生成された発振信号に基づいて時刻を計時する計時手段、および、前記計時手段により計時された時刻に基づいた時刻表示を行なう時刻表示手段を備えた電子時計において、
ＧＰＳ信号を受信可能な受信手段と、
前記受信手段により受信したＧＳＰ信号に基づいて位置情報を得る位置情報取得手段と、
位置情報に対応する時刻別の平均気温と当該時刻別の平均気温に対応する振動子の温度特性の補正値とを対応付けて複数組記憶している記憶手段と、
この位置情報取得手段により位置情報が取得された際に、この取得された位置情報と前記計時手段により計時された時刻情報とに基づいて、対応する時刻別の平均気温に対応する振動子の温度特性の補正値を前記記憶手段より読み出し、この読み出された補正値に基づいて前記発振信号の周波数を補正する周波数補正制御手段と、
を備えることを特徴とする電子時計。
【請求項２】
前記記憶手段は、位置情報に対応する地域の屋外温度別補正値および屋内温度別補正値を更に記憶しており、
前記周波数補正制御手段は、
前記受信手段によりＧＰＳ信号が受信できたかできないかを判断する受信可否判断手段と、
この受信可否判断手段により前記受信手段によりＧＰＳ信号が受信できないと判断した場合には、前記位置情報取得手段により取得された位置情報に対応する地域の屋外温度別補正値および屋内温度別補正値を前記記憶手段から読み出し、この読み出された屋外温度別補正値および屋内温度別補正値に基づいて前記発振信号の周波数を補正する周波数補正手段と、
を備えていることを特徴とする請求項１に記載の電子時計。
【請求項３】
内部回路が消費する電力を補う光電変換手段と、
前記光電変換手段の出力の大きさを検出する検出手段とを更に備え、
前記周波数補正制御手段は、前記検出手段により検出された前記光電変換手段の出力が所定よりも小さいか大きいかを判断し、小さいと判断した場合には、前記記憶手段から屋内温度に対応した補正値を読み出して前記発振信号の周波数を補正することを特徴とする請求項１または２に記載の電子時計。
【請求項４】
前記周波数補正制御手段は、前記検出手段により検出された前記光電変換手段の出力が所定値よりも大きいと判断した場合には、前記記憶手段から屋外温度に対応した補正値を読み出して前記発振信号の周波数を補正することを特徴とする請求項３に記載の電子時計。
【請求項５】
前記周波数補正制御手段は、前記受信手段により受信したＧＰＳ信号に含まれる時刻情報に基づいて前記計時手段の時刻を修正する時刻修正手段を有することを特徴とする請求項１〜４のいずれかに記載の電子時計。
【請求項６】
振動子を備え所定周波数の発振信号を生成する発振手段と、前記発振手段により生成された発振信号に基づいて時刻を計時する計時手段と、前記計時手段により計時された時刻に基づいた時刻表示を行なう時刻表示手段と、ＧＰＳ信号を受信可能な受信手段と、前記受信手段により受信したＧＳＰ信号に基づいて位置情報を得る位置情報取得手段と、内部回路が消費する電力を補う光電変換手段と、前記光電変換手段の出力の大きさを検出する検出手段とを備えた携帯用電子機器において、
世界各地域の平均気温と前記振動子の温度特性の補正値との関係を示す情報と、前記位置情報に応じた地域の屋外温度に対応した補正値および屋内温度に対応した補正値とを記憶している記憶手段と、
予め設定された地域の時刻に代えて前記位置情報取得手段により取得された位置情報に応じた地域の時刻を前記表示手段に表示させる表示制御手段と、
前記位置情報取得手段により取得された位置情報と前記計時手段により計時された時刻情報とに応じた情報を前記記憶手段から読み出して前記発振信号の周波数を補正する第１の温度補正手段と、
前記検出手段により検出された前記光電変換手段の出力が所定値よりも小さいか大きいかを判断し、小さいと判断した場合には、前記記憶手段から屋内温度に対応した補正値を読み出して前記発振信号の周波数を補正する第２の温度補正手段と、
を備えていることを特徴とする携帯用電子機器。
【請求項７】
前記周波数補正制御手段は、前記検出手段により検出された前記光電変換手段の出力が所定値よりも大きいと判断した場合には、前記記憶手段より屋外温度に対応した補正値を読み出して前記発振信号の周波数を補正することを特徴とする請求項６に記載の携帯用電子機器。
【請求項８】
振動子を備え所定周波数の発振信号を生成する発振手段と、前記発振手段により生成された発振信号に基づいて時刻を計時する計時手段と、前記計時手段により計時された時刻に基づいた時刻表示を行なう時刻表示手段と、ＧＰＳ信号を受信可能な受信手段と、前記受信手段により受信したＧＳＰ信号に基づいて位置情報を得る位置情報取得手段と、内部回路が消費する電力を補う光電変換手段と、前記光電変換手段の出力の大きさを検出する検出手段とを備えた携帯用電子機器において、
世界各地域の平均気温と前記振動子の温度特性の補正値との関係を示す情報と、前記位置情報に応じた地域の屋外温度に対応した補正値および屋内温度に対応した補正値とを記憶している記憶手段と、
予め設定された地域の時刻に代えて前記位置情報取得手段により取得された位置情報に応じた地域の時刻を前記表示手段に表示させる表示制御手段と、
前記位置情報取得手段により取得された位置情報と前記計時手段により計時された時刻情報とに応じた情報を前記記憶手段から読み出して前記発振信号の周波数を補正する第１の温度補正手段と、
前記受信手段によりＧＰＳ信号が受信できたかできないかを判断し、受信できないと判断した場合には、前記記憶手段から屋内温度に対応した補正値を読み出して前記発振信号の周波数を補正する第２の温度補正手段と、
を備えていることを特徴とする携帯用電子機器。
【請求項９】
予め設定された地域の時刻に代えて前記位置情報取得手段により取得された位置情報に応じた地域の時刻を前記表示手段に表示させる表示制御手段を更に備えていることを特徴とする請求項１に記載の電子時計。
【請求項１０】
予め設定された地域の時刻に代えて前記位置情報取得手段により取得された位置情報に応じた地域の時刻を前記表示手段に表示させる表示制御手段を更に備えていることを特徴とする請求項８に記載の携帯用電子機器。
【発明の詳細な説明】
【技術分野】
【０００１】
本発明は、周波数補正制御機能を備えた電子時計および携帯用電子機器に関する。
【背景技術】
【０００２】
一般に、電子時計は、計時用基準発振信号を生成するため振動子として水晶振動子を使用した発振回路を備えている。この発振回路の水晶振動子は、周囲温度によって発振周波数（固有振動数）が変化する温度特性を有していることが知られており、従来の電子時計においては、季節による温度の変化に伴う水晶振動子の発振周波数変動に起因する時刻の誤差を補正するために、幾つかの技術が提案されている。
【０００３】
温度変化に伴う発振周波数変動に起因する時刻の誤差を補正する代表的な技術としては、例えば発振回路の近傍に温度センサを設けて実際の周囲温度に応じて補正する方法（特許文献１）や、振動子の温度変化に応じた誤差補正量を地域別、月別にメモリに格納しておいて地域情報および日時情報に応じて補正値を決定して補正する方法（特許文献２，３）がある。
【先行技術文献】
【特許文献】
【０００４】
【特許文献１】特開平１１−６５６９４号公報
【特許文献２】特開昭５７−５９１９１号公報
【特許文献３】特開２００３−２４０８８４号公報
【発明の概要】
【発明が解決しようとする課題】
【０００５】
特許文献１に記載されているような、温度センサを設けて補正する方法にあっては、正確な補正が行なえるという利点があるものの別途温度センサが必要になるため、コストアップを招き、小型化を阻害する要因になるという課題がある。
一方、特許文献２，３に記載されているような、誤差補正量を地域別、月別にメモリに格納しておいて地域情報および日時情報に応じて補正値を決定して補正する方法にあっては、補正量はあくまでも設定された地域での平均気温（通常は屋外）に対応するものであるため、使用する温度が必ずしも当該機器（時計）がおかれている環境の温度と一致するとは限らないので、正確な補正が行えないという課題がある。
【０００６】
ところで、近年においては、電波受信回路を内蔵させ、標準電波を受信して、該標準電波に含まれる時刻情報に合わせて内部時刻を自動的に修正する機能を備えた電波時計が実用化されている。電波時計にあっては、振動子の温度特性によって時刻誤差が生じたとしても修正することができる。しかし、電波時計の場合、屋内等電波の届かない場所に長期間放置されると誤差が次第に蓄積されて時刻ずれが大きくなってしまうという課題がある。
【０００７】
この発明は上記のような課題に着目してなされたもので、その目的とするところは、新たに特別な温度センサを設けることなくしかも実際に機器が置かれている地域または環境の温度に応じた振動子の温度特性の補正値に基づいた正確な時刻を計時が可能な電子時計および時計機能を有する携帯用電子機器を提供することにある。
【０００８】
この発明の他の目的は、電波の届かない場所に長期間放置されたとしても振動子の温度特性による時刻誤差が大きくならないようにすることができ、正確な時刻を計時が可能な電子時計および時計機能を有する携帯用電子機器を提供することにある。
【課題を解決するための手段】
【０００９】
上記目的を達成するため請求項１に記載の発明は、
振動子を備え所定周波数の発振信号を生成する発振手段、前記発振手段により生成された発振信号に基づいて時刻を計時する計時手段、および、前記計時手段により計時された時刻に基づいた時刻表示を行なう時刻表示手段を備えた電子時計において、
ＧＰＳ信号を受信可能な受信手段と、
前記受信手段により受信したＧＳＰ信号に基づいて位置情報を得る位置情報取得手段と、
位置情報に対応する時刻別の平均気温と当該時刻別の平均気温に対応する振動子の温度特性の補正値とを対応付けて複数組記憶している記憶手段と、
この位置情報取得手段により位置情報が取得された際に、この取得された位置情報と前記計時手段により計時された時刻情報とに基づいて、対応する時刻別の平均気温に対応する振動子の温度特性の補正値を前記記憶手段より読み出し、この読み出された補正値に基づいて前記発振信号の周波数を補正する周波数補正制御手段と、
を備えることを特徴としている。
【００１０】
請求項２に記載の発明は、請求項１に記載の電子時計において、
前記記憶手段は、位置情報に対応する地域の屋外温度別補正値および屋内温度別補正値を更に記憶しており、
前記周波数補正制御手段は、
前記受信手段によりＧＰＳ信号が受信できたかできないかを判断する受信可否判断手段と、
この受信可否判断手段により前記受信手段によりＧＰＳ信号が受信できないと判断した場合には、前記位置情報取得手段により取得された位置情報に対応する地域の屋外温度別補正値および屋内温度別補正値を前記記憶手段から読み出し、この読み出された屋外温度別補正値および屋内温度別補正値に基づいて前記発振信号の周波数を補正する周波数補正手段と、
を備えていることを特徴としている。
【００１１】
請求項３に記載の発明は、請求項１または２に記載の電子時計において、
内部回路が消費する電力を補う光電変換手段と、
前記光電変換手段の出力の大きさを検出する検出手段とを更に備え、
前記表示制御手段は、前記検出手段により検出された前記光電変換手段の出力が所定値よりも大きいと判断した場合には、前記記憶手段から屋外温度に対応した補正値を読み出して前記発振信号の周波数を補正することを特徴としている。
【００１２】
請求項４に記載の発明は、請求項３に記載の電子時計において、
前記表示制御手段は、前記検出手段により検出された前記光電変換手段の出力が所定値よりも大きいと判断した場合には、前記記憶手段から屋外温度に対応した補正値を読み出して前記発振信号の周波数を補正することを特徴としている。
【００１３】
請求項５に記載の発明は、請求項１〜４のいずれかに記載の電子時計において、
前記表示制御手段は、前記受信手段により受信したＧＰＳ信号に含まれる時刻情報に基づいて前記計時手段の時刻を修正する時刻修正手段を有することを特徴としている。
【００１４】
請求項６に記載の発明は、
振動子を備え所定周波数の発振信号を生成する発振手段と、前記発振手段により生成された発振信号に基づいて時刻を計時する計時手段と、前記計時手段により計時された時刻に基づいた時刻表示を行なう時刻表示手段と、ＧＰＳ信号を受信可能な受信手段と、前記受信手段により受信したＧＳＰ信号に基づいて位置情報を得る位置情報取得手段と、内部回路が消費する電力を補う光電変換手段と、前記光電変換手段の出力の大きさを検出する検出手段とを備えた携帯用電子機器において、
世界各地域の平均気温と前記振動子の温度特性の補正値との関係を示す情報と、前記位置情報に応じた地域の屋外温度に対応した補正値および屋内温度に対応した補正値とを記憶している記憶手段と、
予め設定された地域の時刻に代えて前記位置情報取得手段により取得された位置情報に応じた地域の時刻を前記表示手段に表示させる表示制御手段と、
前記位置情報取得手段により取得された位置情報と前記計時手段により計時された時刻情報とに応じた情報を前記記憶手段から読み出して前記発振信号の周波数を補正する第１の温度補正手段と、
前記検出手段により検出された前記光電変換手段の出力が所定値よりも小さいか大きいかを判断し、小さいと判断した場合には、前記記憶手段から屋内温度に対応した補正値を読み出して前記発振信号の周波数を補正する第２の温度補正手段と、
を備えていることを特徴としている。
【００１５】
請求項７に記載の発明は、請求項６に記載の携帯用電子機器において、
前記表示制御手段は、前記検出手段により検出された前記光電変換手段の出力が所定値よりも大きいと判断した場合には、前記記憶手段より屋外温度に対応した補正値を読み出して前記発振信号の周波数を補正することを特徴としている。
【００１６】
請求項８に記載の発明は、振動子を備え所定周波数の発振信号を生成する発振手段と、前記発振手段により生成された発振信号に基づいて時刻を計時する計時手段と、前記計時手段により計時された時刻に基づいた時刻表示を行なう時刻表示手段と、ＧＰＳ信号を受信可能な受信手段と、前記受信手段により受信したＧＳＰ信号に基づいて位置情報を得る位置情報取得手段と、内部回路が消費する電力を補う光電変換手段と、前記光電変換手段の出力の大きさを検出する検出手段とを備えた携帯用電子機器において、
世界各地域の平均気温と前記振動子の温度特性の補正値との関係を示す情報と、前記位置情報に応じた地域の屋外温度に対応した補正値および屋内温度に対応した補正値とを記憶している記憶手段と、
予め設定された地域の時刻に代えて前記位置情報取得手段により取得された位置情報に応じた地域の時刻を前記表示手段に表示させる表示制御手段と、
前記位置情報取得手段により取得された位置情報と前記計時手段により計時された時刻情報とに応じた情報を前記記憶手段から読み出して前記発振信号の周波数を補正する第１の温度補正手段と、
前記受信手段によりＧＰＳ信号が受信できたかできないかを判断し、受信できないと判断した場合には、前記記憶手段から屋内温度に対応した補正値を読み出して前記発振信号の周波数を補正する第２の温度補正手段と、
を備えていることを特徴としている。
【００１７】
請求項９に記載の発明は、請求項１に記載の電子時計において、
予め設定された地域の時刻に代えて前記位置情報取得手段により取得された位置情報に応じた地域の時刻を前記表示手段に表示させる表示制御手段を更に備えていることを特徴としている。
請求項１０に記載の発明は、請求項８に記載の携帯用電子機器において、
予め設定された地域の時刻に代えて前記位置情報取得手段により取得された位置情報に応じた地域の時刻を前記表示手段に表示させる表示制御手段を更に備えていることを特徴としている。
【発明の効果】
【００１８】
本発明によれば、新たに特別な温度センサを設けることなくしかも実際に機器が置かれている地域または環境の温度に応じた振動子の温度特性の補正値に基づいた正確な時刻を計時が可能な電子時計および時計機能を有する携帯用電子機器を実現できる。
また、本発明によれば、電波の届かない場所に長期間放置されたとしても振動子の温度特性による時刻誤差が大きくならないようにすることができ、正確な時刻を計時が可能な電子時計および時計機能を有する携帯用電子機器を実現できるという効果がある。
【図面の簡単な説明】
【００１９】
【図１】本発明を適用した電子時計の第１の実施例を示すブロック構成図である。
【図２】水晶振動子の発振周波数の温度特性を示す特性図である。
【図３】世界の各都市（地域）の月別平均気温の変化を示すグラフである。
【図４】第１の実施例の電子時計における制御処理の手順を示すフローチャートである。
【図５】本発明を適用した電子時計の第２の実施例を示すブロック構成図である。
【図６】第２の実施例の電子時計における制御処理の手順を示すフローチャートである。
【図７】ＲＯＭのうち、位置情報、月別平均気温、振動子の温度特性の補正値、屋外用補正値（α）および屋内用の補正値（β）を保持した構成例を示す図である。
【発明を実施するための形態】
【００２０】
以下、本発明の好適な実施の形態を図面に基づいて説明する。
（第１実施例）
図１には、本発明を適用した電子時計の第１の実施例のブロック構成図が示されている。
本実施例の電子時計は、時刻表示を行う液晶パネルなどからなる表示部１０と、電池を内蔵し電源電圧を各部へ供給する電源部２０と、電子時計全体の制御を行う制御部となるＣＰＵ（マイクロプロセッサ）３５と、このＣＰＵ３５が実行する制御プログラムや制御データを格納したＲＯＭ（読出し専用メモリ）３６と、ＣＰＵ３５に作業用のメモリ空間を提供するＲＡＭ（随時読出し書込み可能なランダムアクセスメモリ）３７とを備える。この実施例では、後述の水晶振動子XTALの温度補正値を保持するテーブルは、ＲＯＭ３６内に格納されている。ただし、ＣＰＵ３５が実行する制御プログラムも格納されているＲＯＭ３６とは別個のメモリ（例えばＥＥＰＲＯＭ等）にテーブルを格納するようにしても良い。。
【００２１】
また、電子時計は、水晶振動子XTALを備え現在時刻を計時するためのクロックを形成する発振回路３８および分周回路３９と、この発振回路３８および分周回路３９からの信号に従って計時を行う計時回路４０と、ＧＰＳ（衛星測位システム）信号を受信して取り込むアンテナ４１と、このアンテナ４１を介してＧＰＳ信号を受信する、フィルタや検波回路などからなる受信回路４２と、時計表示部１０を照らす照明部４３および照明駆動回路４４と、ＣＰＵ３５に対して指令を入力する操作スイッチなどの入力部４５等を備える。
【００２２】
計時回路４０には、日付を含む時刻を計時する時刻カウンタが設けられ、この時刻カウンタが分周回路３９からのクロックによりカウントアップされて現在日時の計時が行われていく。受信回路４２により受信したＧＰＳ信号には時刻情報が含まれており、この時刻情報の値と計時回路４０内の時刻カウンタの値とが一致していない場合にはカウンタの値（現在時刻）を修正するようになっている。これにより、正確な時刻の表示が可能となる。
【００２３】
ここで、上記ＲＯＭ３６に格納されている水晶振動子の温度補正値を保持するテーブルについて説明する。
計時用基準発振信号を生成するための水晶振動子は、周囲温度によって発振周波数（固有振動数）が変化する例えば図２に示すような温度特性を有している。図２において、横軸は温度、縦軸は周波数偏差量（ｐｐｍ）を表わしている。時計用の水晶振動子は一般に２５℃付近で周波数偏差が０となるようにされている。そのため、時計が使用される環境の温度が２５℃からずれると、時刻誤差を生じ、補正をしない場合にはその誤差は温度の変化が大きいほど大きくなる。
【００２４】
一方、世界の各都市（地域）の平均気温は季節によって変化し、月別平均気温は図３のように、各都市（地域）によって変化が異なる。従って、時刻誤差を小さくするには、時計を使用する都市（地域）および月日に応じて補正値を変える必要がある。
そこで、本実施例では、使用している水晶振動子の温度特性を示す値もしくは温度補正値を保持するテーブルと、世界の都市（地域）の位置および月別平均気温を保持するテーブルとをＲＯＭ内に格納しておいて、都市（地域）の位置情報および日付情報を用いて発振周波数の補正を行えるように構成されている。
【００２５】
なお、ＧＰＳ信号には、時刻情報が含まれているので、図１の実施例のようにＧＰＳ信号受信機能を有する時計にあっては、その時刻情報に基づいて時刻を修正することが可能であり、それによって表示時刻の正確さを高めることができる。ただし、屋内等ＧＰＳ信号が受信できない場合があり、そのような状況が長く続くと次第に時刻誤差が大きくなってしまうので、時刻修正機能を有するものにおいても上述したような温度補正値を保持するテーブルを用いた補正が有効である。
【００２６】
次に、上述したような構成を有する電子時計における第１の実施例の制御処理の手順を、図４のフローチャートを参照しながら説明する。なお、ここでは、一例として世界各都市の現地時刻を表示可能なワールドタイム機能を有する電子時計について説明する。
【００２７】
この実施例においては、電源投入されると、ＣＰＵ３５によって図４のフローチャートに従った制御処理が開始され、まず、ホーム都市の設定処理が行なわれる（ステップＳ１）。この設定処理は、例えばユーザが時計本体に設けられている入力部４５としての操作ボタンを用いてホーム都市を指定することで行なわれる。そして、ホーム都市が指定されると、ＣＰＵ３５がその設定都市をＲＡＭ３７内に記憶する。次に、ユーザによる入力もしくはＧＰＳ信号に含まれる時刻情報に基づいてホーム都市の日付および時刻合わせを行なう（ステップＳ２）。
【００２８】
その後、ＣＰＵ３５は、ＲＯＭ３６内の前記テーブルを参照して、設定都市と日付とから温度補正値を取得する（ステップＳ３）。そして、取得した補正値を用いて、水晶振動子の温度補正を行う（ステップＳ４）。
具体的には、発振周波数の補正は、例えば水晶振動子XTALに印加する電圧を変えることで行なうことができる。従って、上記温度補正値は、水晶振動子の印加電圧補正値とすることができる。補正値をテーブルに格納しておく代わりに、水晶振動子の温度特性を示す式をプログラムに格納しておいて、設定都市と日付とから推定した温度を上記式に入れて温度補正値を算出するように構成しても良い。
【００２９】
温度補正処理（ステップＳ４）が終了すると、ＣＰＵ３５は、計時回路４０からの情報に基づいて日付が変わったか否か判定する（ステップＳ５）。  そして、日付が変わったと判定されたときはステップＳ３へ戻り上記処理を繰り返す。一方、日付が変わっていないと判定されたときはステップＳ６へ移行してＧＰＳ信号を受信したか判定し、受信したと判定されたときは受信したＧＰＳ信号に基づいて算出した位置情報（緯度および経度）から、自身の現在の所在地域が既に設定されているホーム都市と合致しているか否か、すなわちワールドタイム切替えを行なうか否かを判定する（ステップＳ７）。
【００３０】
ここで、都市（地域）が合っていた場合およびステップＳ６でＧＰＳ信号を受信しなかったと判定された場合には、ステップＳ５へ戻り上記処理を繰り返す。位置も日付も変化していない場合には温度補正値を変える必要がないとともに、ＧＰＳ信号を受信できなかった場合には都市（地域）が変わったか否かの判定ができないためである。
【００３１】
一方、現在の所在地域が既に設定されているホーム都市と合致せず、ステップＳ７でワールドタイム切替えを行なうと判定した場合には、ＧＰＳ信号に含まれる位置情報に基づいてＲＯＭ３６内のテーブルを参照して、演算等によって最も近いあるいは最適な都市を見つける処理を行い、その都市をワールドタイム表示の都市として設定してＲＡＭ３７に記憶する（ステップＳ８）。しかる後、新たな設定都市に応じて表示時刻の切替え（ステップＳ９）を行ないステップＳ３へ戻る。
【００３２】
そして、ステップＳ３では、新たな設定都市と日付に応じた温度補正値を取得し、次のステップＳ４で水晶振動子の温度補正を行う。上記処理を繰り返すことで、旅行や出張で地域が変わる移動がなされた場合にも、自動的にその地域に応じた現地時間の表示が行えるとともに、移動先の環境に適した温度補正値が選択されて、水晶振動子の発振周波数の補正がなされ、時刻のずれが小さくされるようになる。
【００３３】
以上説明したように、第１の実施例では、新たに特別な温度センサを設けることなくしかも実際に機器が置かれている地域または環境の温度に応じた振動子の温度特性の補正値に基づいた正確な時刻を計時が可能な電子時計および時計機能を有する携帯用電子機器を実現できる。
また、第１の実施例では、電波の届かない場所に長期間放置されたとしても振動子の温度特性による時刻誤差が大きくならないようにすることができ、正確な時刻を計時が可能な電子時計および時計機能を有する携帯用電子機器を実現できるという効果がある。
さらに、第１の実施例では、予め設定された地域の時刻に代えて、ＧＰＳにて取得された位置情報に応じた地域の時刻を表示部に表示させることができ、正確な時刻を計時が可能な電子時計および時計機能を有する携帯用電子機器を実現できるという効果がある。
【００３４】
（第２実施例）
図５には、本発明を適用した電子時計の第２の実施例のブロック構成図が示されている。
この実施例の電子時計は、図１の実施例の構成に加えて、文字板もしくは時計本体等の表面に設けられた光電変換用のソーラーパネル２１と、電池を内蔵するとともにソーラーパネル２１からの電力を受けて電源電圧を生成し各部へ供給する電源部２０と、ソーラーパネル２１の発電量を検出する発電量検出部３２と、発電量検出部３２の検出信号をデジタル化して取り込むＡＤコンバータ３１とを追加したものである。他の構成は第１の実施例と同様であるので、詳しい説明は省略する。
【００３５】
気象庁等から発表されている世界各都市や地域での平均気温は屋外で観測されたデータに基づくものである。第１の実施例においてＲＯＭ３６内の補正テーブルに格納されている温度特性を示す値もしくは補正値は、各都市の屋外の月別平均気温に基づいて決定された値である。しかし、据え置き型の時計は屋外とは常に温度の差ある屋内に置かれているとともに、腕時計にあっても使用者は屋外と屋内とを往復しており、使用者の職業によっては屋内にいる時間の方が屋外よりも長い場合がある。一般に屋外と屋内の温度差は５℃〜１０℃程度あり、季節や地域によっては２０℃以上の温度差がある場合もある。
【００３６】
従って、温度による水晶振動子の発振周波数の補正を行う場合には、屋外と屋内の温度差をも考慮した方がより精度の高い補正が行えることになる。そこで、この実施例では、ＲＯＭ３６内に、図７のように屋外用補正値（α）と屋内用の補正値（β）を保持したテーブルを格納しておくとともに、ＧＰＳ信号を受信できたかできないかで屋外にあるか屋内にあるのかを時計自身が判断し、その結果に応じて使用する補正値を選択するようにしている。ＧＰＳ信号は一般に屋内の方が屋外よりも受信強度が低くビル内などでは受信できない場合が多いためである。
【００３７】
このように、ＧＰＳ信号を受信したかしないかで屋外と屋内の判断をしてその結果に応じて補正値を変えているので、何ら新たなセンサを設けることなく最適な温度補正を行うことができる。補正値αとβは、実際の観測データや統計データ等から適宜決定すればよい。なお、図７においては、αとβが各都市に対して１つずつ示されているが、αとβは各月毎に設けることができ、その場合、夏と冬では、逆方向の値となる。屋内では、夏には冷房を、また冬には暖房を行うので、屋外と屋内の温度関係が逆になるためである。
【００３８】
ただし、屋内であっても窓際等に置かれている場合には、屋外と変わらない程度にＧＰＳ信号を受信できることもある。そこで、この第２の実施例では、さらに、ソーラーパネル２１の発電量に基づいて当該電子時計が屋内で使用されているのか屋外で使用されているのかを判別して、補正値を選択するようにした。
具体的には、ソーラーパネル２１の発電量がある所定値以上の場合に屋外と判断し、所定値以下の場合に屋内と判断する。なお、図７には、月別平均気温の欄に温度を表わす数値が入っているが、ＲＯＭ３６内の補正値テーブルには温度の代わりにその温度に対応する補正値を格納するようにしてもよい。
【００３９】
図６には、第２の実施例の電子時計における制御処理の手順のフローチャートが示されている。この実施例のフローチャートは、第１の実施例の制御処理の手順を示す図４のフローチャートと共通している処理が多いので、同一の処理についての重複した説明は省略する。
【００４０】
図４のフローチャートとの違いは、以下の３点である。第１は、ステップＳ３の次にソーラーパネルの発電量の大小に基づいて屋内か屋外かを判別するステップＳ３ａを設けている点、第２は、ＲＯＭ３６内のテーブル（図７）を参照して水晶振動子の温度補正値（屋外用）を選択して水晶振動子の周波数補正を行うステップＳ４の他に、ステップＳ３ａでの判別結果が屋内であった場合に、設定都市情報と日付とに応じて屋内用の水晶振動子の温度補正値を選択して周波数の補正を行うステップＳ４ａを設けている点である。また、第３に、ステップＳ６でＧＰＳ信号を受信できなかった場合には、時計の周囲環境が屋内であると判断してステップＳ４ａへ移行し、屋内用の水晶振動子の温度補正値を選択して周波数の補正を行うようにしている点である。
【００４１】
以上説明したように、第２の実施例では、水晶振動子の温度特性に関し、各都市（地域）毎に屋外用の水晶振動子の温度補正値と屋内用の水晶振動子の温度補正値の２つを用意しておいて、ＧＰＳ信号の受信状態や、ソーラーパネルの発電量に基づいて時計が屋外にあるのか屋内にあるのかを判別して適切な水晶振動子の温度補正値を選択するようにしているので、より精度の高い周波数補正が可能となり、時刻ずれをより小さくすることができるという利点がある。
【００４２】
以上本発明者によってなされた発明を実施例に基づき具体的に説明したが、本発明は上記実施例に限定されるものではない。例えば前記実施例では、水晶振動子の温度特性を示す値もしくは温度補正値を保持する第１のテーブルと、都市別の月別平均気温を保持する第２のテーブルをＲＯＭに格納しておくと説明したが、各都市毎の月別平均気温の代わりに補正値を入れたテーブルをＲＯＭに格納しておくようにしても良い。
【００４３】
さらに、前記実施例では、月毎に補正値を変えるようにしているが、気温の補間演算を行う演算式をＣＰＵのプログラムに持たせて、周波数の補正を行う際に演算によって日別気温を求めて日単位で補正値を決定するように構成しても良い。
また、前記実施例においては、時刻表示部として液晶パネルを使用したものを示したが、時針および分針等の針の回転により時刻表示を行うアナログ式の表示部を有する電子時計に適用することも可能である。また、実施例では、振動子として水晶振動子を使用した場合を説明したが、セラミック振動子等の他の振動子を使用する場合にも本発明を適用することができる。
【００４４】
さらに、前記実施例においては、入力部４５を備え該入力部により指定された地域をホーム都市として設定しその地域の時刻を表示するように構成されたものを説明したが、入力部４５による指定がなくＧＰＳ信号に基づいて得られた位置情報から自動的にホーム都市を設定しその地域の時刻を表示するように構成することも可能である。
【００４５】
さらに、以上の説明では主として本発明者によってなされた発明をその背景となった利用分野である時計に適用した場合について説明したが、本発明は、携帯電話機やＰＤＡ（パーソナル・デジタル・アシスタンツ）その他時計機能を内蔵した携帯用電子機器に広く適用することができ、それによって携帯用電子機器においても移動先の地域の環境に応じた最適な温度補正が行えるようになる。
なお、特許請求の範囲における「時刻」はこの実施態様、すなわち発明の詳細な説明において「日付」で説明しているが、これに限定されず、「朝、昼、夜」のような予め定められている時間帯および「月」を包含する概念である。よって、たとえば、位置情報が取得された際に、この取得された位置情報と計時された時刻情報である「日付」、「朝、昼、夜」の時間帯および「月」のいずれかとに基づいて、対応する時刻別の平均気温に対応する振動子の温度特性の補正値をメモリ３５より読み出し(Ｓ３)、この読み出された補正値に基づいて発振信号の周波数を補正する（Ｓ４）ようにしてもよい。
【符号の説明】
【００４６】
１０  表示部
２０  電源部
２１  ソーラーパネル（光電変換手段）
３２  発電量検出部（検出手段）
３５  制御回路
３６  ＲＯＭ
３８  発振回路
４０  計時回路
４２  受信回路
【図１】
2010256160.tif 000003
【図２】
2010256160.tif 000004
【図３】
2010256160.tif 000005
【図４】
2010256160.tif 000006
【図５】
2010256160.tif 000007
【図６】
2010256160.tif 000008
【図７】
2010256160.tif 000009